(57)【要約】【課題】従来のお薬手帳（健康手帳）と変わりなく、薬剤師が記載した或いは印刷した情報を目視により読み取り可能であることはいうまでもなく、電子的な活用も可能な健康手帳を提供する。【解決手段】患者が所有するノート型の健康手帳本体に備えられる複数枚の台紙に、薬剤や医療に関する各種の医療情報を記載した調剤薬局や医療機関により経時的に発行されるラベルを順次、貼り付けて用いる健康手帳において、各ラベルには少なくとも表記されている情報と発行日時とを記憶させたＲＦＩＤタグを付設する。【選択図】図１
2011034328.tif 000002
【特許請求の範囲】
【請求項１】
患者が所有するノート型の健康手帳本体に備えられる複数枚の台紙に、薬剤や医療に関する各種の医療情報を記載した調剤薬局や医療機関により経時的に発行されるラベルを順次、貼り付けて用いる健康手帳において、前記各ラベルには少なくとも表記されている情報を発行日時の情報とともに記憶させたＲＦＩＤタグが付設されていることを特徴とするＲＦＩＤタグ付き健康手帳。
【請求項２】
前記ＲＦＩＤタグがマイクロメートル単位のきわめて小型のＲＦＩＤタグであることを特徴とする請求項１に記載のＲＦＩＤタグ付き健康手帳。
【請求項３】
前記ＲＦＩＤタグに記憶されている情報が各情報の種類に応じて電子的に区別可能に分類されている請求項１または２に記載のＲＦＩＤタグ付き健康手帳。
【発明の詳細な説明】
【技術分野】
【０００１】
本発明は、患者が所有するノート型の健康手帳本体に備えられる複数枚の台紙に、薬剤や医療に関する各種の医療情報を記載した調剤薬局や医療機関により経時的に発行されるラベルを順次、貼り付けて携行する健康手帳に関するものである。
【背景技術】
【０００２】
従来から、患者が調剤薬局で医療機関が発行する処方箋に基づいて処方薬剤を調剤してもらうとき、処方した薬剤の用法、用量、効能、効果、副作用、注意事項等を記載した薬剤情報を患者が持参するお薬手帳に薬歴情報を記載していた。
【０００３】
このお薬手帳は、患者の薬歴が記載されていることから、患者が他の調剤薬局で調剤してもらったり診察時などにおいて、患者の薬歴情報や個人情報を知ることができるとともに患者も薬歴を記録しておけるばかりか、一々、個人情報を含めた各種の情報を申告する必要がなくきわめて便利であり、特に継続して処方薬を服用している場合やお年寄りなどにとって必要である。
【０００４】
また、お薬手帳は、その名の通りに、初めのうちは患者が持参してきた手帳に調剤薬局で処方された薬剤に関する情報を記載していたが、手書きでの記載が煩雑で調剤薬局でも時間と手間を取られることなどからきわめて簡単に記載されていたが、処方時に薬剤師が薬剤情報を患者に提示して処方薬剤についての詳細を説明する義務が生じたことから電子化が進み、薬局に配置したレセプトコンビュータを用いて用紙やラベルに印刷した薬剤情報紙を貼り付けるものが一般的であった。
【０００５】
一方、医療機関では調剤時や診察時に例えば検査結果など他の各種の情報をプリントしたものが患者にわたされるが、これらの各種の情報を記載したものもまとめて貼り付けて健康手帳としておくと便利である。
【０００６】
しかしながら、前記健康手帳は単に情報を記載したラベルを貼り付けるだけであり、ノートと同じで必要な箇所をめくって記載事項を確認する必要があり、活用することができなかった。
【０００７】
そこで、前記薬剤情報紙を名刺型のカードに二次元コード（ＱＲコード）として記載し、これを市販のカメラ付きの携帯電話などにより読み取らせるとともにその情報を別途に設置したサーバーに送信して記憶させることにより薬剤情報を活用するお薬手帳が提示されている（特開２００９−３２２２５号公報）。
【０００８】
この公報に提示されているお薬手帳は名刺形のカードであることから携行に負担は減少するが、従来の紙やラベルに印刷したもののように、それ自体に情報が文字等により表示されていないので、調剤薬局での調剤時に内容を確認できず、また携帯端末により読み込んで確認する必要があり、実用的でない。
【先行技術文献】
【特許文献】
【０００９】
【特許文献１】特開２００９−３２２２５号公報
【発明の概要】
【発明が解決しようとする課題】
【００１０】
本発明は前記課題を解決するためになされたものであり、従来のお薬手帳（健康手帳）と変わりなく、薬剤師が記載した或いは印刷した情報を目視により読み取り可能であることはいうまでもなく、電子的な活用も可能な健康手帳を提供するものである。
【課題を解決するための手段】
【００１１】
前記課題を解決するためになされた本発明は、患者が所有するノート型の健康手帳本体に備えられる複数枚の台紙に、薬剤や医療に関する各種の医療情報を記載した調剤薬局や医療機関により経時的に発行されるラベルを順次、貼り付けて用いる健康手帳において、前記各ラベルには少なくとも表記されている情報と発行日時とを記憶させたＲＦＩＤタグが付設されていることを特徴とする。
【００１２】
また、前記ＲＦＩＤタグがマイクロメートル単位のきわめて小型のＲＦＩＤタグであると更に好ましく、前記ＲＦＩＤタグに記憶されている情報が各情報の種類に応じて電子的に区別可能に分類されていることにより、きわめて有効に利用することができる。
【発明の効果】
【００１３】
以上のように本願発明は、従来の紙製の薬剤情報や医療情報を紙に記載したラベルを貼った従来の健康手帳（お薬手帳）と同様に文字等を視覚により読み取ることができ、更に、容易に電子的な薬歴やミニカルテとして活用することが可能な健康手帳を提供するものである。
【図面の簡単な説明】
【００１４】
【図１】本発明の好ましい実施の形態を示す斜視図。
【図２】図１に示した実施の形態の使用状態を示すブロック回路図。
【発明を実施するための最良の形態】
【００１５】
以下に、図面を参照して本発明を実施するための最良の形態を説明する。
【００１６】
図１は本発明の好ましい実施の形態を示すものであり、本発明である健康手帳１は、患者が所有するノート型の健康手帳本体２に備えられる複数枚の台紙３に、薬剤や医療に関する各種の医療情報を記載した調剤薬局や医療機関により経時的に発行されるラベル４を順次、貼り付けてなる従来の健康手帳とほぼ同様の形態である。
【００１７】
特に、前記各ラベル４には少なくとも表記されている情報を発行日時とともに記憶させたマイクロメートル単位のきわめて小型のＲＦＩＤタグ５が付設されている。
【００１８】
また、前記ＲＦＩＤタグ５に記憶されている情報が例えば項目や結果を含めて予めコード化してある。
【００１９】
本実施の形態は、調剤薬局や医療機関において調剤時や処方時、診察時などに従来と同様に薬剤情報や検査結果などをラベル４に印刷するときに付設してあるＲＦＩＤタグ５に少なくともその情報を発行日時の情報ととともに記録する。
【００２０】
尚、ＲＦＩＤタグ５に記録可能なプリンターを用いることにより一度の操作でラベル４への印刷とＲＦＩＤタグ５への記録を一度で実施することができるので便利であるとともに省力化を図ることができる。
【００２１】
このような本実施の形態では外観構成は従来の健康手帳と同様に各種の情報が記載（印刷）されたラベル４が貼ってあるので、従来の健康手帳と同様に目視により読み取ることにより患者や調剤薬局、医療機関において活用でき、特に異なる調査薬局や医療機関において有効である。加えて、本実施の形態におけるＲＦＩＤタグ５はマイクロメートル単位のきわめて小型のＲＦＩＤタグであり、嵩張ることもなく重量が増す心配もない。
【００２２】
また、図２には本実施の形態の使用方法の概略を示すものであり、調剤薬局や医療機関に配置した読み取り機６により前記ＲＦＩＤタグ５に記憶させてある情報を読み取る。このとき、特定のＲＦＩＤタグ５を全て読み取る場合が好ましい。  
【００２３】
具体的には、初めに健康手帳１を読み取り部６１に設置して読み取り、この情報を記憶装置６２に記憶する。そして、操作部６２により操作回路６３を介して前記記憶装置６２に記憶してある情報の内で必要なものを照合、検索して例えば液晶画面のような表示装置６４に表示することにより確認する。
【００２４】
特に、本実施の形態では、ＲＦＩＤタグ５に記録されている各情報は項目毎にコード化されているので各項目や情報毎に選択して表示させることが可能であり、加えて各情報は、発行日時が同時に記録されているので、例えば過去における処方薬剤の種類の変化や、用量の変化、更には、血圧などの検査結果の経時的な推移を数値や図表で確認することができ、これらの情報は外部出力部６５を介してプリンタで印刷したり他の機器に出力することもできる。尚、図面中、符号６６は読み取り機６の各機器を制御するための制御装置である。
【００２５】
このように、本実施の形態では患者自身が薬剤情報や医療情報が印刷されているだけでなく電子化されているので、電子化が進んで電子薬歴や電子カルテを備えている調剤薬局や医療機関において患者が異なる調剤薬局や医療機関にかかったとしても機関期間にも継続して電子データを確認したり、情報を蓄積することができるのできわめて便利で有効である。
【００２６】
尚、本実施の形態は一例であって、ＲＦＩＤタグ５の種類を限定するものでなく例えばラベルやシール型のものであるなど他の形式のものも使用することはいうまでもなく、また、ＲＦＩＤタグ５に記憶させた情報についても各種の用途に活用することができるものである。
【符号の説明】
【００２７】
１ 健康手帳、２  健康手帳本体、３  台紙、４  ラベル、５   ＲＦＩＤタグ
【図１】
2011034328.tif 000003
【図２】
2011034328.tif 000004